(57)【特許請求の範囲】
【請求項１】
鋼鉄製骨組み構造物の天井部に石を敷き詰めて形成した人工海底を海底に沈設するとともに、その人工海底の少なくとも岸側の縁に海底との間に石積みして、海底を匍匐行動する生物を人工海底へ蝟集するためのその人工海底と連続するスロープを形成してなることを特徴とする海底を匍匐行動する生物の増殖礁。
【請求項２】
請求項１に記載の増殖礁において、人工海底の岸側の縁と反岸側の縁との両方の縁に海底との間に石積みしてスロープを形成してなる海底を匍匐行動する生物の増殖礁。
【請求項３】
請求項１に記載の増殖礁において、人工海底の全ての縁に海底との間に石積みしてスロープを形成してなる海底を匍匐行動する生物の増殖礁。
【発明の詳細な説明】
【０００１】
【発明の属する技術分野】
本発明は、海底を匍匐行動する生物の増殖礁に関し、特にはサザエ、アワビ、ウニなどの海底を匍匐行動する生物の増殖礁に関するものである。
【０００２】
【従来の技術】
サザエやアワビなどの生態は、餌料となるテングサ類、アオサ類などの海藻が繁茂する水深30メートル程度までの岩が入り組み隙間のある浅場を生息水域としているが、近年、その水域での稚貝の放流など栽培漁業がなされるようになってきた。
【０００３】
上記の栽培漁業では、海藻が生育し、サザエやアワビなどが生息しやい環境となるように天然石又はコンクリートブロックを直に、あるいは礁枠に割石を中詰めしたものなど（以下天然石、コンクリートブロック、礁枠に割石を中詰めしたものなどを石と称する）を海中に投入、設置して造成した石積みによる増殖礁（以下石積み礁と言う）が使用されている。
【０００４】
【発明が解決しようとする課題】
上記の石積み礁は、水深30メートル以内の浅場に通常 100kgから 1トン近い重さの石を高いもので 5ｍ程度の高さにまで積み上げて造成するため、石が入り組み多くの隙間が形成されるとともに海藻が生育し易くサザエやアワビなどが生息するには適しているものの、その造成は石を海底に投入して積み上げる方式であるため以下のような問題がある。
【０００５】
すなわち、▲１▼：海底の状況により、石だけでは、例えば、高さ 5ｍの台形状の石積みを海底に設けることが難しい場合や、積み上げたとしてもコストが高くなる場合がある。
▲２▼：サザエやアワビなどの漁獲は水視漁業や潜水漁業など人手に頼っており、特に潜水漁業では漁獲作業中に積み上げた石だけでは足場が不安定で危険があり漁獲作業の安全性に問題となることがある。
▲３▼：海底が砂地の場合には石が沈みやすい。この沈みにより石積み礁が崩れたり、埋まるなど石積み礁としての機能が損なわれることがある。
▲４▼：石積みの条件や海域条件によっては割高な石積みとなり、コストの問題がある。
【０００６】
本発明は、上記の事情に基づいてなされたものであって、その目的は、石を有効に使用し且つ安定した状態で水深30メートル以内の浅場に造成し得るとともに、波浪や潮流などで崩される心配が少なく且つサザエやアワビなどの海底を匍匐行動する生物にとって生息しやすい増殖礁を提供するものである。
【０００７】
上記の目的を達成するために、本発明に係る海底を匍匐行動する生物の増殖礁（請求項１）は、鋼鉄製骨組み構造物の天井部に石を敷き詰めて形成した人工海底を海底に沈設するとともに、その人工海底の少なくとも岸側の縁に海底との間に石積みして、海底を匍匐行動する生物を人工海底へ蝟集するためのその人工海底と連続するスロープを形成してなるものである。
【０００８】
上記構成では、鋼鉄製骨組み構造物を採用していることから、石を敷き詰めて形成した人工海底を所望の大きさ（広さ及び厚さ）で且つ重心を配慮した安定した高さ位置に形成することができる。またこれにより、前記人工海底を安定した状態で且つ所望の水深深さ（30メートル以内、好ましくは数メートル〜十数メートル）位置となるように海底に沈設できる。また、石は予め敷き詰めることができるので、石が崩れ難いように安定した状態で、且つサザエやアワビなどが生息するのに必要な隙間を多く形成するように敷き詰めることができる。また、人工海底にサザエやアワビなどを放流して人工産のサザエやアワビなどの栽培漁業がしやすくなる上に、水視漁業や潜水漁業など人手によるサザエやアワビなどの漁獲作業が安全にできる。また、人工海底と海底との間には必要により石を敷き詰めればよく特に石を敷き詰める必要がないことから石を有効に使用することができる。
【０００９】
そして更に、海底に沈設した後、人工海底の少なくとも岸側の縁に海底との間に石積みして人工海底と連続するスロープを形成するが、このスロープを人工海底の岸側の縁のみに形成した場合（請求項１）には、上述した作用効果に加えて、サザエなどは成長するにつれ海岸から深場の餌料となる海藻の繁茂する岩場に移動する習性があるので、その習性を利用して餌料となる海藻の繁茂する人工海底へ蝟集させることができる。また、前記スロ−プを人工海底の岸側の縁と反岸側の縁との両方の縁に形成した場合（請求項２）、あるいは全ての縁に形成した場合（請求項３）には、サザエやアワビなどの害敵であるヒトデなどが這い上がりやすくなるものの、上述した作用効果に加えて比較的規模の小さな（対角線が5〜10ｍ程度の多角形状）人工海底を備える増殖礁であっても、より安定して海底に沈設することができ、特に波浪や潮流などの影響を少なくして海底に沈設することができる。
【００１０】
【発明の実施の形態】
以下、本発明の実施形態を図面に基づいて説明する。図１は、本発明に係る海底を匍匐行動する生物の増殖礁に適用される人工海底の斜視図、図２は、図１の人工海底を構成する石詰めユニットの説明図であって、ａは平面図、ｂはａのＸ−Ｘ矢視図である。図３は、図２ｂのＹ部拡大図である。
【００１１】
増殖礁１に適用される人工海底５は、架台２とその上に載置して溶接固定された石詰めユニット３とを備えるとともに、石詰めユニット３に詰め込まれた石４（例えば天然石、コンクリートブロック、礁枠に割石を中詰めしたものなど）により形成されている。架台２は、型鋼などの鋼材を溶接、骨組み構造とした鋼鉄製架台であって、その上面の広さ（面積）は、そこに造成される人工海底５の広さに応じて溶接固定される石詰めユニット３の台数（本例では５台）により適宜の広さのものが製作され、またその高さは、人工海底５を沈設する海底までの深さにより適宜の高さのものが製作される。
【００１２】
石詰めユニット３は、図２に示すように、型鋼などの鋼材を溶接、骨組みして製造した直方体状の鋼鉄製枠であって、本例では石４を詰め込むための石詰め籠６が長手方向の４ヵ所に設けられている。この石詰め籠６は、図３に拡大して示すように、石詰めユニット３の上枠７と下枠８の間で、上枠７より 400mm程度の深さ位置に底枠９を形成するとともに、その底枠９の下に山形鋼10をほぼ等間隔に溶接固定して網底に形成されている。なお、石詰め籠６の大きさの一例としては一辺が2000〜3000mm程度で深さ 400〜 500mm程度のものでる。また各石詰め籠６の間は海水の通しを良くするため、及びサザエなどを人手で漁獲しやすくするため 500〜1000mm程度の間隔11を開けている。
【００１３】
上記の如き構成の人工海底５は、高さが数メートル、一辺が十数メートルにもなる巨大な構造物であり、通常沈設する海岸沿いで架台２及び石詰めユニット３をそれぞれ溶接、組み立て、石詰めユニット３の石詰め籠６内に石４を所望の厚さ(400〜 500mm程度）で互いに動かないように且つ隙間を有するように敷き詰めた後、この石詰めユニット３を所定台数（本例では５台）架台２上にクレーン等で吊り上げて載置し、溶接固定して石４を敷き詰めた人工海底５として造成される。そしてこの後、人工海底５の上面の適宜の位置に溶接固定した吊りビーム（図示せず）を介してクレーン船などにより所定の沈設場所へ移動し、図４に示すように海底12に沈設される。
【００１４】
本発明に係る増殖礁１に適用される人工海底５は上記の如き構成であり、鋼鉄製骨組み構造物を採用していることから、石４を敷き詰めて形成した人工海底５を所望の大きさで且つ重心を配慮した安定した高さ位置に形成することができる。またこれにより、前記人工海底５を安定した状態で且つ所望の水深深さ（数メートル〜十数メートル）位置となるように海底12に沈設できる。また、石４は予め敷き詰めることができるので、石４が崩れ難いように安定した状態で、且つサザエやアワビなどが生息するのに必要な隙間を多く形成するように敷き詰めることができる。また、人工海底５にサザエやアワビなどを放流して人工産のサザエやアワビなどの栽培漁業がしやすくなる上に、水視漁業や潜水漁業など人手によるサザエやアワビなどの漁獲作業が安全にできる。また、人工海底５と海底12との間には特に石４を敷き詰める必要がないことから石４を有効に使用することができる。また、複数台の増殖礁１を集中して海底12に沈設することで、多くのサザエやアワビなどを蝟集させ漁場を形成することができる。
【００１５】
なお、上記人工海底５では、架台２上に石詰めユニット３を５台並設し石詰め籠６により石４を敷き詰めた例を説明したが、人工海底５をより広く形成する場合には、図５に示すように適宜長さの石詰めユニット３を組合せて周辺部を構成し、中央部に石積み用の鋼材製の網部13を形成してもよい。この場合には沈設するクレーン船などの能力に応じて網部13に予め陸上で石４を敷き詰めてもよいし、海底12へ沈設した後に海上より石４を投入して敷き詰めてもよい。なお、符号14は人工海底５の上面にバランスを考慮して設けた吊りビームである。
【００１６】
そして、本発明に係る海底を匍匐行動する生物の増殖礁１は、図６に示すように、上述した人工海底５を海底12へ沈設した後、人工海底５の少なくとも岸側の縁に海底12との間に人工海底５と連続する石積みスロープ15を形成して構成されるが、このような石積みスロープ15を人工海底５の岸側の縁のみに形成した場合には、上記段落番号〔００１４〕に説明した作用効果に加えて、サザエなどは成長するにつれ海岸から深場の餌料となる海藻の繁茂する岩場に移動する習性があるので、その習性を利用して石積みスロープ15より餌料となる海藻の繁茂する人工海底５へ蝟集させることができる。また、同図６に二点鎖線で示すように、前記石積みスロープ15と同様の石積みスロープ16を人工海底５の反岸側の縁に併せて形成してもよい。このように石積みスロープ16を形成することにより、特に波浪や潮流などの影響を受けやすい海底12では増殖礁１を安定して海底12に沈設することができる。なお、より波浪や潮流などの影響を受けやすい海底12では人工海底５の全ての縁に石積みスロープ15を形成してもよい。この場合、サザエやアワビなどの害敵であるヒトデなどが這い上がりやすくなるものの、増殖礁１を安定して海底に沈設することができる。
【００１７】
【発明の効果】
以上説明したように、本発明に係る海底を匍匐行動する生物の増殖礁であれば、石を有効に使用して水深30メートル以内の浅場に波浪や潮流などで崩されることなく増殖礁を造成することができる。しかもサザエやアワビなどの海底を匍匐行動する生物にとって害敵であるヒトデなどが這い上がり難く、生息しやすい環境の増殖礁とすることができるとともに、水視漁業や潜水漁業などの人手に頼って行われるサザエやアワビなどの漁獲作業を安全に且つ効率よく行うことができる。
【００１８】
また、本発明に係る海底を匍匐行動する生物の増殖礁では、海底に沈設した後、人工海底の少なくとも岸側の縁に海底との間に人工海底と連続する石積みスロープを形成することができ、この石積みスロープを人工海底の岸側の縁のみに形成した場合には、上述した作用効果に加えて、サザエなどは成長するにつれ海岸から深場の餌料となる海藻の繁茂する岩場に移動する習性があるので、人工海底と連続する石積みスロープを形成することで、その習性を利用して餌料となる海藻の繁茂する人工海底へ蝟集させることができる。また、石積みスロープを人工海底の岸側の縁と反岸側の縁との両方の縁に形成した場合、あるいは全ての縁に形成した場合には、サザエやアワビなどの害敵であるヒトデなどが這い上がりやすくなるものの、上述した作用効果に加えて比較的規模の小さな（対角線が5〜10ｍ程度の多角形状）人工海底を備える増殖礁であっても、安定して海底に沈設することができ、特に波浪や潮流などの影響を防止して海底に沈設することができる。
【図面の簡単な説明】
【図１】本発明に係る海底を匍匐行動する生物の増殖礁に適用される人工海底の斜視図である。
【図２】図１の人工海底を構成する石詰めユニットの説明図であって、ａは平面図、ｂはａのＸ−Ｘ矢視図である。
【図３】図２ｂのＹ部拡大図である。
【図４】本発明に係る海底を匍匐行動する生物の増殖礁に適用される人工海底を海底に沈設した状態の説明図である。
【図５】本発明に係る海底を匍匐行動する生物の増殖礁に適用される人工海底の別の実施形態の斜視図である。
【図６】本発明に係る海底を匍匐行動する生物の増殖礁の説明図である。
【符号の説明】
１：増殖礁              ２：架台                ３：石詰めユニット
４：石                  ５：人工海底            ６：石詰め籠
７：上枠                ８：下枠                ９：底枠
10：山形鋼              11：間隔部              12：海底
13：石積み用の網部      14：吊りビーム          15, 16：石積みスロープ
【図１】
0003984735.tif 000002
【図２】
0003984735.tif 000003
【図３】
0003984735.tif 000004
【図４】
0003984735.tif 000005
【図５】
0003984735.tif 000006
【図６】
0003984735.tif 000007